(57)【要約】【課題】主要部分が合成樹脂の成形によって構成され、部品点数が少なく組み立てが容易でコスト的に有利なディスプレイ支持装置を提供すること。【解決手段】支持脚部２１と保持部が設けられた基台２２とカバー部２３とを有し、支持脚部２１は、腕部３１、腕部に連続し弾性的に湾曲することによって伸びる方向に付勢力を生じさせる湾曲部３２、軸部３３、および摩擦プレート３４を有し、保持部は、軸部３３を回動可能に支持する軸支持部４４、摩擦プレートと押当して摩擦力を生じさせる保持プレート４２を有し、これらが合成樹脂によって一体に成形されて構成されてなる。【選択図】      図４
2006003737.tif 000002
【特許請求の範囲】
【請求項１】
ディスプレイを回動可能に支持するためのディスプレイ支持装置であって、  前記ディスプレイの下端部に設けられた支持脚部と、
前記支持脚部をその下端部を中心として回動可能に支持し且つ所定の範囲の角度位置において保持するための保持部が設けられた基台と、
前記保持部を覆うカバー部と、を有し、
前記支持脚部は、前記ディスプレイの下端部から下方に延びる腕部と、前記腕部に連続し弾性的に湾曲することによって伸びる方向に付勢力を生じさせる湾曲部と、前記湾曲部の下端部に設けられた軸部と、前記腕部に設けられ前記軸部を中心とする円周に沿って形成された円周面を有する摩擦プレートとを有し、これらが合成樹脂によって一体に成形されて構成されており、
前記保持部は、前記基台に設けられ前記軸部を回動可能に支持する軸支持部と、前記基台に設けられ前記湾曲部が弾性的に湾曲した状態で前記摩擦プレートが付勢されて押当して摩擦力を生じさせる保持プレートとを有し、これらが合成樹脂によって一体に成形されて構成されてなる、
ことを特徴とするディスプレイ支持装置。
【請求項２】
前記保持プレートには切欠き部が設けられており、前記切欠き部を前記腕部が貫通し且つ前記切欠き部において前記腕部の所定の角度範囲の回動が許容されている、
請求項１記載のディスプレイ支持装置。
【請求項３】
前記基台には、前記保持プレートと前記軸支持部との間に、前記保持プレートに沿って伸びる受けプレートが設けられ、
前記摩擦プレートは、前記保持プレートと前記受けプレートとの間の間隙を移動するように構成されている、
請求項１または２記載のディスプレイ支持装置。
【請求項４】
前記保持プレートおよび前記摩擦プレートの互いに当接する面には、互いに係合可能な複数の溝または突起が前記軸部と平行な方向に沿って形成されている、
請求項１ないし３のいずれかに記載のディスプレイ支持装置。
【請求項５】
前記湾曲部には、その湾曲の程度を制限するためのストッパが設けられている、
請求項１ないし４のいずれかに記載のディスプレイ支持装置。
【発明の詳細な説明】
【技術分野】
【０００１】
本発明は、液晶パネルなどからなるディスプレイを回動可能に支持するためのディスプレイ支持装置に関する。
【背景技術】
【０００２】
従来より、液晶パネルやプラズマディスプレイパネルなどの薄型ディスプレイを支持するために、鉛直面内で回動可能ないわゆるチルト機構を有する支持装置が種々提案されている。
【０００３】
例えば、特許文献１に開示された支持装置は、ディスプレイの画面が前方に傾くように筐体に収容され、筐体が台座上で上下に揺動調節可能なように角度調整機構によって支持される。角度調整機構は、筐体または台座の一方に設けられ、水平方向でかつ左右方向に伸びる軸心を中心とした後方に凸の円周上に設けられた第１案内部と、筐体または台座の他方に設けられ第１案内部に対して上下方向に摺動可能な第２案内部と、第１案内部と第２案内部とが摺動する際にその摺動を妨げる方向に抵抗力を発生する抵抗手段と、第１案内部と第２案内部とを常時接触させる支持手段とを備えている。
【０００４】
また、特許文献２に開示された支持装置は、ディスプレイが角度調整脚を内蔵した外殻によって支持されている。角度調整脚は、外殻の円弧状の湾曲面の内側に設けられた階段状の突起と噛み合う突起を有し、それら２つの突起が化粧ボルトによって締めつけられている。
【０００５】
また、特許文献３に開示された支持装置は、図９に示すように、全て金属材によって形成された、２つの支持部材２４１ａ，２４１ｂ、回動アーム２４２、および２つの回動軸２４３ａ，２４３ｂからなる。支持部材２４１ａ，２４１ｂは、それぞれ断面がＬ字形に形成される。回動アーム２４２は、２つの脚部２４２ａ，２４２ｂ、および２つの脚部２４２ａ，２４２ｂの上端部においてそれらを互いに連結する連結部２４２ｃが、金属材料によって一体的に形成されている。２つの脚部２４２ａ，２４２ｂは、それぞれ支持部材２４１ａ，２４１ｂに対し、回動軸２４３ａ，２４３ｂによって垂直面内で回動可能に取り付けられている。
【０００６】
すなわち、回動軸２４３ａ，２４３ｂは、軸部の一端に径大の頭部が設けられたもので、支持部材２４１ａ，２４１ｂおよび脚部２４２ａ，２４２ｂの穴に挿入され、軸部の先端がかしめられる。支持部材２４１ａ，２４１ｂの両側には、１枚または複数枚の環状のバネ板材からなる摩擦部材２４７ａ，２４７ｂが挟み込まれている。
【０００７】
回動軸２４３ａ，２４３ｂの先端のかしめの程度を調整することによって、脚部２４２ａ，２４２ｂと支持部材２４１ａ，２４１ｂとの間で回動時に適度な摩擦力が発生するようにして、これによりチルト時のトルクを得ている。
【特許文献１】特開２０００−２５９０８５
【特許文献２】特開２００１−２８２１３０
【特許文献３】特開２００２−１４９０７８
【発明の開示】
【発明が解決しようとする課題】
【０００８】
しかし、上に述べた従来のディスプレイ支持装置は、構造が複雑で部品点数が多く、組み立て工数も多いため、コストがかかるという問題があった。
【０００９】
例えば特許文献３の支持装置では、特殊な金属部品を使用し、摩擦力つまりトルクの調整を軸部のかしめの程度によって行わなければならず、その調整が容易ではない。また、かしめ作業のために大型のプレス装置が必要であり、コスト高となる。
【００１０】
本発明は、上述の問題に鑑みてなされたもので、主要部分が合成樹脂の成形によって構成され、部品点数が少なく組み立てが容易でコスト的に有利なディスプレイ支持装置を提供することを目的とする。
【課題を解決するための手段】
【００１１】
本発明に係るディスプレイ支持装置は、ディスプレイを回動可能に支持するためのディスプレイ支持装置であって、前記ディスプレイの下端部に設けられた支持脚部と、前記支持脚部をその下端部を中心として回動可能に支持し且つ所定の範囲の角度位置において保持するための保持部が設けられた基台と、前記保持部を覆うカバー部と、を有し、前記支持脚部は、前記ディスプレイの下端部から下方に延びる腕部と、前記腕部に連続し弾性的に湾曲することによって伸びる方向に付勢力を生じさせる湾曲部と、前記湾曲部の下端部に設けられた軸部と、前記腕部に設けられ前記軸部を中心とする円周に沿って形成された円周面を有する摩擦プレートとを有し、これらが合成樹脂によって一体に成形されて構成されており、前記保持部は、前記基台に設けられ前記軸部を回動可能に支持する軸支持部と、前記基台に設けられ前記湾曲部が弾性的に湾曲した状態で前記摩擦プレートが付勢されて押当して摩擦力を生じさせる保持プレートとを有し、これらが合成樹脂によって一体に成形されて構成されてなる。
【００１２】
好ましくは、前記保持プレートには切欠き部が設けられており、前記切欠き部を前記腕部が貫通し且つ前記切欠き部において前記腕部の所定の角度範囲の回動が許容されている。
【００１３】
また、前記基台には、前記保持プレートと前記軸支持部との間に、前記保持プレートに沿って伸びる受けプレートが設けられ、前記摩擦プレートは、前記保持プレートと前記受けプレートとの間の間隙を移動するように構成される。
【００１４】
また、前記保持プレートおよび前記摩擦プレートの互いに当接する面には、互いに係合可能な複数の溝または突起が前記軸部と平行な方向に沿って形成される。
【００１５】
また、前記湾曲部には、その湾曲の程度を制限するためのストッパが設けられる。また、必要に応じて、摩擦プレートの表面に、耐摩耗性を有する樹脂フィルムが貼り付けられる。
【発明の効果】
【００１６】
本発明によると、主要部分が合成樹脂の成形によって構成されており、部品点数が少なく組み立てが容易でコスト的に有利なディスプレイ支持装置を提供することができる。
【発明を実施するための最良の形態】
【００１７】
図１は本発明に係る支持装置３を用いたディスプレイ装置１の側面断面図、図２は図１の支持装置３を拡大して示す断面図、図３は支持装置３の外観を示す斜視図、図４は支持装置３を構成する部品を示す分解斜視図、図５はカバー部２３と保持部２２ａとの係合状態を示す断面図、図６は摩擦プレート３４および保持プレート４２の断面を示す図、図７は保持プレート４２の平面図および正面図である。
【００１８】
図１〜図３において、ディスプレイ装置１は、ディスプレイ２、および、ディスプレイ２を鉛直面内で回動可能に支持する支持装置３からなる。
【００１９】
ディスプレイ２は、液晶パネルなどの表示パネル本体１１、表示パネル本体１１を保持するフロントカバー１２、表示パネル本体１１の全体を覆う薄い箱状のリアカバー１３、および表示制御基板１４などからなる。リアカバー１３は合成樹脂による型成形によって製作されている。
【００２０】
支持装置３は、ディスプレイ２の下端部に設けられた支持脚部２１、支持脚部２１をその下端部を中心として回動可能に支持し且つ所定の範囲の角度位置において保持するための保持部２２ａが設けられた基台２２、および、保持部２２ａを覆うカバー部２３からなる。
【００２１】
支持脚部２１は、腕部３１、湾曲部３２、軸部３３、摩擦プレート３４、およびストッパ３５からなる。支持脚部２１は、その全体が、ＡＢＳ樹脂またはＰＳ樹脂などの合成樹脂による型成形によってリアカバー１３と一体に製作されている。
【００２２】
腕部３１は、断面が矩形状であってリアカバー１３の下端部からほぼ直線状に延びており、全体として角棒状である。湾曲部３２は、腕部３１に連続して延びており、側面視でほぼＵ字状に湾曲している。湾曲部３２は、Ｕ字状の間隙が狭くなる方向に弾性的に湾曲することによって、内部応力により腕部３１の伸びる方向に付勢力を生じさせる。
【００２３】
軸部３３は、湾曲部３２の下端部（先端部）に設けられており、湾曲部３２の両側から円柱状に突出している。摩擦プレート３４は、腕部３１に設けられており、軸部３３を中心とする円周に沿って形成された円周面を有する。摩擦プレート３４の表面の円周面には、図４によく示されるように水平方向に伸びる多数の溝３４１、３４１…が設けられている。なお、溝３４１の形状は種々のものが可能である。溝３４１に代えて突起を設けても同じことである。
【００２４】
ストッパ３５は、腕部３１の下方の延長上に突出した形状であり、湾曲部３２が湾曲したときに、その湾曲の程度を制限して限界を越えないように規制するためのものである。ストッパ３５の先端と湾曲部３２の上面との間隔は、組み立てた状態で２〜３ｍｍ程度である。
【００２５】
保持部２２ａは、保持プレート４２、受けプレート４３、および軸支持部４４からなる。これら、保持部２２ａの各部と基板４１、つまり基台２２は、合成樹脂による型成形によって一体に製作されている。
【００２６】
基板４１は、全体として矩形の板状に形成されている。基板４１の表面の隅部には、盗難防止のためのチェーンなどを連結する連結穴４１１が設けられている。なお、図示はされていないが、裏面には必要に応じて４隅にゴム脚が取り付けられる。
【００２７】
軸支持部４４は、全体として円弧状であり、その一端部が基板４１の上面に連続して設けられている。軸支持部４４は、基板４１上の左右に合計２つ設けられており、支持脚部２１の左右に突出した軸部３３を回動可能に支持する。軸支持部４４に軸部３３を装着するに当たっては、軸支持部４４の先端部を拡げながら軸部３３をリア側から挿入する。
【００２８】
保持プレート４２は、全体として円弧状であり、その一端部が基板４１の上面に連続して設けられている。保持プレート４２の裏面には、摩擦プレート３４の溝３４１と係合する多数の溝４２１，４２１…が設けられている。保持プレート４２の裏面には、支持脚部２１の湾曲部３２が弾性的に湾曲した状態で摩擦プレート３４が付勢されて押当する。保持プレート４２に摩擦プレート３４が押当することによって、これらの間に摩擦力が生じる。溝３４１と溝４２１とが係合するので、摩擦力が増大するとともに、これら溝３４１，４２１のピッチに相当する角度毎に安定した停止感が得られる。摩擦プレート３４と保持プレート４２との摩擦力または係合力がチルト時のトルクとなる。
【００２９】
保持プレート４２の表面の周縁部には、カバー部２３の爪５４１，５４１…が嵌まり込むための係止穴４２４，４２４…が設けられている（図５を参照）。
【００３０】
図６に示すように、摩擦プレート３４の表面には、耐摩耗性を有する樹脂フィルム３４２が貼り付けられている。樹脂フィルム３４２として、例えばポリエチレンフィルムが用いられ、両面テープなどによって摩擦プレート３４の表面に貼り付けられる。
【００３１】
保持プレート４２の上端縁部の中央には、切欠き部４２ａが設けられており、切欠き部４２ａを腕部３１が貫通し且つ切欠き部４２ａにおいて腕部３１の所定の角度範囲の回動が許容されている。腕部３１の回動によって、チルト角度が調整される。したがって、切欠き部４２ａの長さは、調整可能な最大のチルト角度に対応する。
【００３２】
また、保持プレート４２の切欠き部４２ａの近傍には、２つの取付け穴４２３，４２３が設けられている。図７（Ａ）（Ｂ）に示すように、取付け穴４２３，４２３には、腕部３１が当接してその移動を規制しこれによってチルト角度を調整するための調整部材４５が適時取り付けられる。調整部材４５は、ナイロンなどの合成樹脂によって形成され、図７（Ｂ）によく示されるように、爪部４２５，４２５を取付け穴４２３，４２３に挿入することによって取り付けられる。爪部４２５の形状、寸法は、種々変更することができる。例えば、側面視で鉤型（Ｌ字形）のものを取付け穴４２３，４２３に挿入してスライドさせることによって抜けないように構成してもよい。なお、調整部材４５を取り付けないときに、チルト角度は例えば３０度であり、調整部材４５を取り付けたときにチルト角度は例えば２０度になる。
【００３３】
受けプレート４３は、保持プレート４２と同様に全体として円弧状であり、その一端部が基板４１の上面に連続して設けられている。受けプレート４３は、保持プレート４２と同心の円周に沿って形成された円周面を有し、これによって保持プレート４２との間に間隙ＫＧが形成される。この間隙ＫＧ内を、摩擦プレート３４が移動する。また、受けプレート４３には、保持プレート４２の切欠き部４２ａと同じ形状の切欠き部４３ａが設けられている。
【００３４】
受けプレート４３は、腕部３１に対して下方向の過大な力が作用した場合に、摩擦プレート３４が受けプレート４３の表面に当接して保持するためのものである。
【００３５】
カバー部２３は、正面カバー部５１、右側面カバー部５２、および左側面カバー部５３からなる。カバー部２３の上端縁には縁部５４が設けられており、縁部５４の裏面に爪５４１，５４１…が設けられている。
【００３６】
上に述べたように、支持装置３は、合成樹脂からなる支持脚部２１、基台２２、およびカバー部２３の３つの部品のみから構成されており、ネジも金属部品も用いられていない。しかも、支持脚部２１はディスプレイ２のリアカバー１３と一体であり、支持のための専用部品としては基台２２およびカバー部２３のわずか２つである。
【００３７】
次に、支持装置３の組み立て方法について説明する。
【００３８】
図４において、支持脚部２１の軸部３３を基台２２の軸支持部４４に挿入し、下方へ押さえ付けて湾曲部３２を撓ましながら、摩擦プレート３４を間隙ＫＧに挿入し、腕部３１を切欠き部４２ａ，４３ａに嵌め込む。これによって、湾曲部３２の弾性力、つまり湾曲部３２の内部に発生した応力によって、摩擦プレート３４の表面が保持プレート４２の裏面に付勢されて押当する。そして、保持部２２ａのフロント側からカバー部２３を被せ、縁部５４を拡げながら爪５４１，５４１…を係止穴４２４，４２４…に嵌め込む。これによって支持装置３が完成する。
【００３９】
次に、支持装置３の使用方法について説明する。
【００４０】
摩擦プレート３４は保持プレート４２に所定の付勢力で押当しており、これによる摩擦力または係合力によってトルクが発生している。ディスプレイ装置１のユーザがディスプレイ２を持って傾ける方向に力を加えることにより、摩擦プレート３４と保持プレート４２とが相対的に摺動し、ディスプレイ２を所望の角度に傾けることができる。そのときに、ディスプレイ２を下方に軽く押しながら傾けてもよい。
【００４１】
ディスプレイ２のチルト角度は、切欠き部４２ａ内で腕部３１が移動可能な範囲である。つまり、フロント側では腕部３１がカバー部２３に当接するとにより、リア側では腕部３１が切欠き部４２ａの奥端に当接するとにより、それぞれの移動が規制され、この間がチルト角度の調整範囲である。チルト角度の調整範囲を狭くしたい場合には、図７に示すように、保持プレート４２に調整部材４５を取り付ける。なお、切欠き部４２ａの長手方向の異なる位置に複数の取付け穴４２３を設けておくと、調整部材４５の取り付け位置の調整が可能となり、チルト角度の調整範囲を種々変更することが可能となる。
【００４２】
摩擦プレート３４と保持プレート４２の接触面には溝３４１、４２１が設けられており、溝３４１、４２１が係合することによって係合力が作用するので、チルトの保持角度が安定する。しかし、溝３４１、４２１を設けることなく、摩擦プレート３４と保持プレート４２との接触面の平面的な摩擦力のみでトルクを発生するようにしてもよい。その場合には無段階の角度位置調整が可能となる。
【００４３】
ディスプレイ２を下方に強く押し付けた場合でも、摩擦プレート３４が受けプレート４３によって保持され、安定であるとともに、ユーザの操作感も良好となる。また、ストッパ３５の存在によって、湾曲部３２が過度に湾曲して破壊されることが防止される。なお、受けプレート４３もストッパ３５も外部からの過度の力に抗して支持装置３を安定化し、破壊を防ぐことができるので、いずれか一方を省略してもよい。
【００４４】
このように、本実施形態の支持装置３によると、支持脚部２１、基台２２、およびカバー部２３の全部が合成樹脂の成形によって構成され、部品点数が少なく組み立てが容易であり、コスト的に有利である。
【００４５】
上の実施形態の支持装置３では、支持脚部２１の軸部３３が左右に突出する形態としたが、次のように、湾曲部３２の幅寸法を広くし、湾曲部３２の中央に軸部３３を設ける形態としてもよい。
【００４６】
図８は支持脚部２１Ｂの変形例を示す斜視図である。
【００４７】
図８に示すように、支持脚部２１Ｂは、腕部３１Ｂ、湾曲部３２Ｂ、および軸部３３Ｂからなる。軸部３３Ｂは、湾曲部３２Ｂの下端部において、幅方向の中央に設けられている。この場合に、基板４１Ｂには１つの軸支持部４４Ｂが設けられる。このようにすると、支持脚部２１Ｂの全体の幅寸法を大きくでき、強度的に有利となる。
【００４８】
上に述べた実施形態において、保持プレート４２および摩擦プレート３４の耐摩耗性が充分である場合には、樹脂フィルム３４２は不要である。カバー部２３を保持部２２ａに固定するために、他の種々の構造を採用してもよい。また、ネジを用いて固定することも可能である。支持脚部２１，２１Ｂの軸部３３，３３Ｂを合成樹脂によって構成したが、金属棒を用いてもよい。その場合には、支持脚部２１の成形時においてインサート成形によって一体化することが可能である。支持脚部２１をディスプレイ２のリアカバー１３と一体に成形したが、別体で成形し、ネジなどを用いて互いに連結してもよい。
【００４９】
その他、支持装置３およびディスプレイ装置１の全体または各部の構造、形状、寸法、個数、および材質などは、本発明の趣旨に沿って適宜変更することができる。
（付記１）
ディスプレイを回動可能に支持するためのディスプレイ支持装置であって、
前記ディスプレイの下端部に設けられた支持脚部と、
前記支持脚部をその下端部を中心として回動可能に支持し且つ所定の範囲の角度位置において保持するための保持部が設けられた基台と、
前記保持部を覆うカバー部と、を有し、
前記支持脚部は、前記ディスプレイの下端部から下方に延びる腕部と、前記腕部に連続し弾性的に湾曲することによって伸びる方向に付勢力を生じさせる湾曲部と、前記湾曲部の下端部に設けられた軸部と、前記腕部に設けられ前記軸部を中心とする円周に沿って形成された円周面を有する摩擦プレートとを有し、これらが合成樹脂によって一体に成形されて構成されており、
前記保持部は、前記基台に設けられ前記軸部を回動可能に支持する軸支持部と、前記基台に設けられ前記湾曲部が弾性的に湾曲した状態で前記摩擦プレートが付勢されて押当して摩擦力を生じさせる保持プレートとを有し、これらが合成樹脂によって一体に成形されて構成されてなる、
ことを特徴とするディスプレイ支持装置。
（付記２）
前記保持プレートには切欠き部が設けられており、前記切欠き部を前記腕部が貫通し且つ前記切欠き部において前記腕部の所定の角度範囲の回動が許容されている、
付記１記載のディスプレイ支持装置。
（付記３）
前記基台には、前記保持プレートと前記軸支持部との間に、前記保持プレートに沿って伸びる受けプレートが設けられ、
前記摩擦プレートは、前記保持プレートと前記受けプレートとの間の間隙を移動するように構成されている、
付記１または２記載のディスプレイ支持装置。
（付記４）
前記保持プレートおよび前記摩擦プレートの互いに当接する面には、互いに係合可能な複数の溝または突起が前記軸部と平行な方向に沿って形成されている、
付記１ないし３のいずれかに記載のディスプレイ支持装置。
（付記５）
前記湾曲部には、その湾曲の程度を制限するためのストッパが設けられている、
付記１ないし４のいずれかに記載のディスプレイ支持装置。
（付記６）
前記摩擦プレートの表面には、耐摩耗性を有する樹脂フィルムが貼り付けられている、
付記１ないし５のいずれかに記載のディスプレイ支持装置。
【産業上の利用可能性】
【００５０】
テレビジョン、パーソナルコンピュータなどのディスプレイ装置などにおいて、ディスプレイをチルト可能に支持する支持装置として利用される。
【図面の簡単な説明】
【００５１】
【図１】本発明に係る支持装置を用いたディスプレイ装置の側面断面図である。
【図２】図１の支持装置を拡大して示す断面図である。
【図３】支持装置の外観を示す斜視図である。
【図４】支持装置を構成する部品を示す分解斜視図である。
【図５】カバー部と保持部との係合状態を示す断面図である。
【図６】摩擦プレートおよび保持プレートの断面を示す図である。
【図７】保持プレートの平面図および正面図である。
【図８】支持脚部の変形例を示す斜視図である。
【図９】従来の支持装置の例を示す図である。
【符号の説明】
【００５２】
１  ディスプレイ装置
３  支持装置（ディスプレイ支持装置）
２１  支持脚部
２２  基台
２２ａ  保持部
２３  カバー部
３１  腕部
３２  湾曲部
３３  軸部
３４  摩擦プレート
３５  ストッパ
４１  基板
４２  保持プレート
４２ａ  切欠き部
４３  受けプレート
４４  軸支持部
３４１  溝
ＫＧ  間隙
【図１】
2006003737.tif 000003
【図２】
2006003737.tif 000004
【図３】
2006003737.tif 000005
【図４】
2006003737.tif 000006
【図５】
2006003737.tif 000007
【図６】
2006003737.tif 000008
【図７】
2006003737.tif 000009
【図８】
2006003737.tif 000010
【図９】
2006003737.tif 000011